(57)【要約】      （修正有）【課題】引き糸を引くと爆発音や硝煙臭を生じさせる爆発クラッカの長期保存状態を維持して、その爆発音等を大きく響かせたり、硝煙臭を飛散させて、有害動物に対する威嚇の効果を高めることができ、しかも爆発クラッカが飛び出すことがない爆発クラッカの反響装置を提供する。【解決手段】爆発クラッカを収納する筒状本体３と脱着式の蓋体４Ａと第１のワイヤ２Ａを備え、第１のワイヤ２Ａを引くと、爆発クラッカの引き糸を介して脱着式の蓋体４Ｂを落下させる。爆発クラッカの破裂８と脱着式の蓋体４Ｂの脱落が発生し、爆発クラッカの破裂によってその爆発音を反響させる。【選択図】図１
2017147971.tif 000002
【特許請求の範囲】
【請求項１】
引き糸を引くと爆発音や硝煙臭を生じさせる爆発クラッカと、爆発クラッカを収納する筒状本体と、筒状本体に着脱される脱着式の蓋体と、爆発クラッカの引き糸と連結されるワイヤとを備え、ワイヤを引っ張ると、爆発クラッカの引き糸が引っ張られて破裂させて、その爆発音により前記脱着式の蓋体を脱落させるか又は前記脱着式の蓋体の蓋体を破壊することを特徴とする爆発クラッカの反響装置。
【請求項２】
引き糸を引くと爆発音や硝煙臭を生じさせる爆発クラッカと、爆発クラッカを収納する筒状本体と、筒状本体に着脱される脱着式の蓋体と、爆発クラッカの引き糸と連結されるとともに脱着式の蓋体と連結されるワイヤとを備え、ワイヤを引っ張ると、爆発クラッカの引き糸が引っ張られて破裂させるとともに、ワイヤを介して前記密閉式の蓋体を脱落させることを特徴とする爆発クラッカの反響装置。
【請求項３】
前記筒状本体に、その開口よりも小さな先細り形状部分を有し、その先細り形状の先端側に前記脱着式の蓋体が着脱自在に取り付けられていることを特徴とする請求項１又は２記載の爆発クラッカの反響装置。
【請求項４】
前記筒状本体に装着される密閉式の蓋体を備え、この密閉式の蓋体に爆発クラッカよりも小さな前記脱着式の蓋体が着脱される脱着式の蓋体が取り付けられていることを特徴とする請求項１ないし３のいずれか１項目記載の爆発クラッカの反響装置。
【請求項５】
前記密閉式の蓋体は前記筒状本体の一方側と他方側に各々脱着式に取り付けられ、前記ワイヤは前記一方側の脱着式の蓋体に連結される第１のワイヤと、前記他方側の脱着式の蓋体に連結される第２のワイヤとを備え、前記第１のワイヤ又は第２のワイヤに接触して引っ張られると、一方側と他方側のうちの少なくとも一方の脱着式の蓋体を脱落させることを特徴とする請求項４記載の爆発クラッカの反響装置。
【請求項６】
前記密閉式の蓋体は前記筒状の筒状本体の一方側と他方側に各々脱着式に取り付けられ、前記筒状本体の外周に配置される外周支持リングが設けられ、前記ワイヤを引っ張った際に、前記外周支持リングが前記筒状本体に沿って移動して前記一方側と他方側の各密閉式の蓋体と当接して一方側と他方側のうちのいずれかの密閉式の蓋体を脱落させることを特徴とする請求項４記載の爆発クラッカの反響装置。
【請求項７】
前記筒状本体の外周に配置される外周支持リングと、外周支持リングを回転可能に支持する支え器具を備え、有害動物がワイヤを引っ張った際に、前記筒状本体が前記外周支持リングを介して回転して、ワイヤが引っ張られた有害動物の方向に向きを変えることを特徴とする請求項１ないし４のいずれか１項記載の爆発クラッカの反響装置。
【発明の詳細な説明】
【技術分野】
【０００１】
本発明は、熊や猪などの有害動物を効果的に撃退させる爆発クラッカの反響装置に関する。
【背景技術】
【０００２】
自然環境や野生動物の生息環境の変化により、野生動物が人間の生活圏に出没し、農作物の被害をはじめ、悪影響を及ぼしている。とりわけ近年になると熊や猪といった大型の野生動物が人間の生活圏に出没することで、農作物の被害が甚大となり、人的な被害も増加している。そのため大型の野生動物から農作物を守り、人間の生活圏への侵入を防ぐ必要がある。
しかしながら、罠の設置や猟銃の使用には免許が必要となり、実施することが容易でなく、且つ猟銃の使用や罠の種類によっては人間に危険が及ぶ可能性も有している。
また、大型の野生動物を捕獲する為の箱罠は高価で、重いことから設置場所が制限される。
そこで、比較的安価で使用する人、使用する場所を問わない野生動物の威嚇、防除の装置及び方法が特許文献１、特許文献２や特許文献３等が提案されている。
【０００３】
特許文献１では、線状の検知部材９０に有害動物が触れると、所定以上の外力が加わることで火薬体３７を打撃部５１ｂが打撃し、爆発音だけでなく火薬臭により有害動物を威嚇する装置及び方法が提案されている。これは猟銃等に遭遇した経験を持つ動物は火薬臭を恐れる、といった学習効果を利用した手法で爆発音のみの場合よりも効果が増大すると考えられる。また、電気的な仕組みを有さず、比較的安価で設置位置も限定しない。
【０００４】
特許文献２では、学習能力の高い野生動物に対しても継続的に防除の効果を発揮できるようにする事、山里など居住区域の近くに設置しても安全であり、且つ夜間においても住民の生活環境に影響を与えることの無いように、専ら発光手段により野生動物の侵入を防除する事、設置が簡易であって、且つ簡易な構造とする事により安価にし、設置後のメンテナンス性を向上させる事を解決すべき課題とした、発光式の野生動物防除器具が提案されている。
特許文献３では、爆発クラッカを保持する爆発クラッカ保持部２と、前記爆発クラッカ保持部２をガイドして前記爆発クラッカ保持部２を爆発クラッカの長手方向にスライドさせるスライドガイド３とにより、一体的に構成されたカセットと、前記カセットを収納するカセット収納部１と、前記カセットに取付けられたカセット側ワイヤを具備している。この構造により、有害動物がワイヤに掛かった瞬間に、爆発クラッカを発射させる構造である。
【先行技術文献】
【特許文献】
【０００５】
【特許文献１】登録実用新案第３１８０３６８号公報
【特許文献２】特開２０１５−９６０４７号公報
【特許文献３】特開２００９−２１９４５９号公報
【発明の概要】
【発明が解決しようとする課題】
【０００６】
しかしながら、特許文献１において、実施例１の場合、風雨など気象条件によって火薬保持部３６Ｄが湿ってしまい効果を得られない、若しくは効果を矮小化してしまう可能性があり、実施例２の場合、火薬保持部３６Ｄが地面に近いところに設置される為、実施例１と同様、又はそれ以上に気象条件によって効果を得られない、若しくは効果を矮小化してしまう可能性がある。
この実施例１及び２の問題点を解消する為には、実施例３で示されているような火薬保持部を湿らさず、爆発音及び火薬臭を発散させる機構が必要不可欠であると言わざるを得ないが、当初の課題である、高コストを解消できないと考える。
また、特許文献２においても、発光部材の位置を予め決めて設置することを鑑みると、当該発光部材が威嚇・防除の対象となる野生動物に正対し効果を発揮できる可能性が低いと言わざるを得ず、発光による威嚇・防除の為、効果が夜間に限定されたり、太陽電池を使用することで、気象条件や設置場所が制約されたりしてしまう事が考えられる。
また、特許文献３は、有害動物がワイヤに掛かった瞬間に、爆発クラッカを発射させる構造であるが、万が一、誤って人に向かって発射されるような事態が生じると危険である。
一方、爆発クラッカは、パーティ用にも使用されるが、そのままの使用では、耳を塞いだり、手の位置が近すぎたりして、そのままの使用では危険な操作になることがあった。特に、購入してから時間が経過した爆発クラッカを使用することは一層危険な操作になる。なお、パーティの催し方によっては、更に大きな反響が必要になったり（室外で使用するとき）、風雨にも対応できる必要性が考慮される場合がある。
【０００７】
そこで本発明の目的は、引き糸を引くと爆発音や硝煙臭を生じさせる爆発クラッカの長期保存状態を維持して、その爆発音等を大きく響かせたり、硝煙臭を飛散させて、有害動物に対する威嚇の効果を高めることができ、しかも爆発クラッカが飛び出すことがない爆発クラッカの反響装置を提供することにある。
【課題を解決するための手段】
【０００８】
本発明の爆発クラッカの反響装置は、引き糸を引くと爆発音や硝煙臭を生じさせる爆発クラッカと、爆発クラッカを収納する筒状本体と、筒状本体に取り付けられて着脱される脱着式の蓋体と、爆発クラッカの引き糸と連結されるワイヤとを備え、ワイヤを引っ張ると、爆発クラッカの引き糸が引っ張られて破裂させて、その爆発音により前記脱着式の蓋体を脱落させるか又は前記脱着式の蓋体の蓋体を破壊することを特徴とする。
本発明によれば、ワイヤが引っ張られると（有害動物が侵入してワイヤに接触する等して引っ張られると）、前記ワイヤが爆発クラッカの引き糸を引っ張って破裂させることにより前記脱着式の蓋体を脱落させるが、筒状本体の内部で反響音を大きくした状態で脱着式の蓋体を脱落させるか、脱着式の蓋体を破壊する。また、爆発クラッカの先端側の引き糸を引っ張る方向とは反対側から爆発音等を生じさせることで、爆発クラッカは飛び出すことがなく、誤ってヒト（人）に向けてワイヤが引かれても安全性が保たれる。
また、本発明の爆発クラッカの反響装置は、引き糸を引くと爆発音や硝煙臭を生じさせる爆発クラッカと、爆発クラッカを収納する筒状本体と、筒状本体に取り付けられて着脱される脱着式の蓋体と、爆発クラッカの引き糸と連結されるとともに脱着式の蓋体と連結されるワイヤとを備え、ワイヤを引っ張ると、爆発クラッカの引き糸が引っ張られて破裂させるとともに、ワイヤを介して前記脱着式の蓋体を脱落させることを特徴とする。
本発明によれば、ワイヤが引っ張られると（有害動物が侵入してワイヤに接触する等して引っ張られると）、前記ワイヤが爆発クラッカの引き糸を引っ張って破裂させるとほぼ同時に脱着式の蓋体をワイヤを介して脱落させることから、爆発クラッカの爆発音を大きく反響させるとともに、硝煙臭が周囲に拡散する。したがって、有害動物の威嚇などに効果を発揮する。
【０００９】
本発明としては、前記筒状本体は、その開口よりも小さな先細り形状部分を有し、その先細り形状の先端側に前記脱着式の蓋体が着脱自在に取り付けられていることを特徴とする。筒状本体の開口部を爆発クラッカの径よりも小さくして、爆発クラッカが飛び出さないようにするとともに、爆発音が内部で反響するようになる。
本発明によれば、前記爆発クラッカを収納する筒状本体は、前後端が先細り形状（テーパ形状）の筒状であり、前記脱着式の蓋体は、前記筒状の筒状本体の一方側と他方側において先細り形状の先端側に各々脱着式に取り付けられることで、爆発クラッカの爆発音等の反響が大きくしたり、また、爆発クラッカが飛び出したりすることを防止できる。
【００１０】
筒状本体は、筒状や円柱形状をしており、材質はプラスチック、金属等が適用されるが、金属製の筒状本体に爆発クラッカを収納させて金属製の密閉式の蓋体で塞ぐと、爆発音等は金属の反響音を大きく響かせる。また、例えば、配管用プラスチック管等を用いれば容易に製造が可能である。筒状本体の内部に反響板が配されていることで、さらに爆発音を大きく響かせることが出来る。
【００１１】
本発明としては、前記筒状本体に装着される密閉式の蓋体を備え、この密閉式の蓋体に爆発クラッカよりも小さな前記脱着式の蓋体が取り付けられていることを特徴とする。
本発明によれば、前記脱着式の蓋体を脱落させるが、爆発クラッカは外部には飛び出すことがなく、安全である。また、爆発クラッカの爆発音は密閉式の蓋体で大きくできる。
【００１２】
本発明としては、前記密閉式の蓋体は、前記筒状本体の一方側と他方側に各々脱着式に取り付けられ、前記筒状本体の外周に配置される外周支持リングが設けられ、有害動物が前記ワイヤを引っ張った際に、前記外周支持リングが前記筒状本体に沿って移動して前記一方側と他方側の各密閉式の蓋体と当接して一方側と他方側の少なくとも一方の密閉式の蓋体を脱落させることを特徴とする。
本発明によれば、前記外周支持リングが前記筒状本体に沿って移動して前記一方側と他方側の各脱着式の蓋体の外周支持部と当接することで、当接する側の脱着式の蓋体を脱落させることもできる。また、有害動物が前記ワイヤを引っ張った際に、前記外周支持リングが前記筒状本体に沿って移動して前記一方側と他方側の各脱着式の蓋体の外周支持部と当接して、前記ワイヤの引っ張り力を十分に発揮させるので、一方側と他方側のいずれかの脱着式の蓋体を脱落させることを容易にする。
【００１３】
本発明の反響装置は、威嚇源である爆発クラッカを複数搭載することも可能である。標準的には、爆発クラッカを１個を搭載するが、対象とする有害動物の爆発クラッカに対する感度、筒状本体の設置位置と有害動物の侵入を検知するワイヤを設置する距離、範囲、あるいは設置環境（例えば森林内等静寂な環境あるいは市街地近辺等喧騒な環境）により複数の爆発クラッカを搭載することも選択可能である。
【発明の効果】
【００１４】
本発明の反響装置は、爆発クラッカが飛び出すことがないが、爆発音・爆発光および硝煙臭を周囲に大きく響かせたり、硝煙臭を周囲に拡散させたりして、有害動物を威嚇する場合などに用いるとその威嚇効果が高い。すなわち、有害動物が保護すべき区域に侵入してワイヤに引っかかると、筒状本体から脱着式の蓋体を脱落させるとともに、威嚇源である爆発クラッカ等が破裂し、爆発音・爆発光および硝煙臭を周囲に大きく響かせたり、硝煙臭を周囲に拡散させたりすることで、有害動物を威嚇し排除するという機構のため、常時威嚇を発生している装置に比べ、有害動物が威嚇に慣れてしまうことがなく、長期間にわたり有害動物に対して効果的な威嚇を実施できる。また、本発明の反響装置は、筒状本体、爆発クラッカ、ワイヤという機械的要素のみで構成されており、電気的制御装置あるいは電源等が不要であるため、設置場所、環境を選ばず、なおかつ日常管理が容易になるという特徴を有する。
【図面の簡単な説明】
【００１５】
【図１】本発明の爆発クラッカの反響装置を示す斜視図であり、（ａ）は筒状本体の両方に脱着式の蓋体を有する例であり、（ｂ）筒状本体の片側に脱着式の蓋体を有する例である。
【図２】本発明の反響装置の内部構造を透視して示した正面図および爆発クラッカ破裂時の作用状況を内部構造を透視して示した正面図である。
【図３】本発明の支え器具を備えた反響装置の外観を示す斜視図である。
【図４】上記反響装置の作用効果を示した説明図である。
【図５】本発明の反響板を供えた反響装置の内部構造を透視して示した正面図である。
【図６】本発明の複数の爆発クラッカを備えた反響装置の内部構造を透視して示した正面図および爆発クラッカ破裂時の作用状況を内部構造を透視して示した正面図である。
【図７】本発明の他の複数の爆発クラッカを備えた反響装置の内部構造を透視して示した正面図および側面図である。
【図８】本発明の他の実施形態の爆発クラッカの反響装置を示す正面図と側面図である。
【図９】本発明の他の実施形態の爆発クラッカの反響装置を示す例を示す図である。
【発明を実施するための形態】
【００１６】
以下、本発明を適用した具体的な実施の形態について図面を参照しながら詳細に説明する。
【００１７】
（第１の実施の形態）
図１（ａ）本発明の第１の実施形態の爆発クラッカの反響装置を示す斜視図である。図１（ａ）に示すように、本発明の爆発クラッカの反響装置１Ａは、筒状本体３とワイヤ２Ａ，２Ｂより構成されている。図２は内部構造を透視した正面図である。
第１の実施の形態の装置１Ａは、筒状本体３には玩具火薬である円筒形の爆発クラッカＣが収納されており、爆発クラッカＣの先端部には、爆発クラッカＣを破裂させるための引き糸５が接続してあり、引き糸５はフック６を介して第１のワイヤ２Ａに接続されている。爆発クラッカＣは、飛び出さないように固定ネジ７が脱着式の蓋体４にネジ式で取り付けられている。
第１のワイヤ２Ａは、筒状本体３にはめられた脱着式の蓋体４に開けた貫通孔を通して外部に引出されている。筒状本体３の他端には第１のワイヤ２Ａが貫通孔を通して固定されている。第１のワイヤ２Ａは、脱着式の蓋体４を押し出すための解除バー２ｔを介して脱着式の蓋体４Ａに連結されている。
筒状本体３の左右両側に密閉式の蓋体４Ｍが配され、それぞれに脱着式の蓋体脱４Ａ，４Ｂが先端側に着脱自在に装着されている。第１の実施の形態では、前記解除バー２ｔが脱着式の蓋体４Ａ，４Ｂを押し出して筒状本体４から脱落させてから、ワイヤ２Ａが爆発クラッカＣの引き糸を引っ張って破裂させる構造に調節されているが（第１のワイヤ２Ａに対するフック６と解除バー２ｔの位置により）、これらの部材の位置を調節することで、ほぼ同時に脱着式の蓋体の落下と破裂音を生じさせることも可能であり、逆に、爆発クラッカＣを爆発させてから脱着式の蓋体を落下させたり、爆発音で脱着式の蓋体を破壊しても良い。
また、筒状本体３には、爆発クラッカＣの爆発音等を生じさせる後端側に配される第２の脱着式の蓋体４Ｂと、前記第１のワイヤ２Ａとは別の第２のワイヤ２Ｂが解除バー２ｔを介して前記第２の脱着式の蓋体４Ｂに連結されて、第１のワイヤ２Ａ又は第２のワイヤ２Ｂに接触して引っ張られると、前記第２の脱着式の蓋体４Ｂを押し出して脱落させる。
ここで、前記脱着式の蓋体４Ａ，４Ｂは、筒状本体３の開口部よりも小さく、かつ、前記筒状本体３に取り付けられる外周支持部１７からその半径が小さくなる先端側に設けられている（先細りのテーパ形状に設けられている）。したがって、爆発クラッカＣの爆発音が反響するとともに、爆発クラッカは、落下しない構造になっている。
威嚇源である火薬は、爆発クラッカ等の玩具火薬を用いることで、安全になおかつ安価に装置を構成できる。また、玩具火薬である為、法的規制を考慮する必要がない。
有害動物の侵入を検知するワイヤ２Ａ，２Ｂは、樹脂製糸あるいは金属製糸を使用することができる。有害動物の侵入時のワイヤに対する負荷強度、設置環境等を考慮して、材質太さ等を選択可能である。例えば比較的小さい有害動物の場合、釣り糸等が適用可能であり、対して大きな有害動物の場合、ステンレス線等の選択も可能である。
【００１８】
上記構成の第１の実施の形態によれば、有害動物Ｇが予め保護すべき区域の外周に設置されたワイヤ４Ａ，４Ｂを木や柵など引っ掛けることにより仕掛ける（図４（ａ）（ｂ））。仕掛ける際には、支え器具１１を使用する。支え器具１１は、筒状本体３を保持しなおかつ回転可能とする支持リング１０と支柱から構成され、地面に平行にワイヤが張られるようにしているが、葉っぱに隠したり、斜めに配置することも可能である。支え器具１１と支持リング１０の材質に関しては、樹脂製、金属製どちらも適用可能であるが、支持強度を要求される場合や爆発音の反響等を考慮するときには金属製が選択される。
支え器具１１に対する本装置の回転機構としては、支持リング１０がついた棒を中空の円筒管に差し込んだ簡便なものから、支持リング１０をベアリング等を介して支柱に固定した構造のものまで選択可能である。有害動物Ｇのワイヤ２Ａへの引っ張り力、筒状本体重量、設置環境等を考慮して適宜選択する。
上記支持リング１０は、ワイヤ２Ａが引かれることで、ワイヤが引かれる方向とは反対側に移動させて、密閉式の蓋体４Ｍの外周部（筒状本体３の外周端部）と当接して密閉式の蓋体４Ｍを脱落させることもできる（図３（ｂ））。また、爆発クラッカＣの爆発により、脱着式の蓋体４Ａを伴って密閉式の蓋体４Ｍを脱落させるものでも良い。
【００１９】
有害動物（ここではイノシシ）が進入した場合においては、前記ワイヤ２Ａと接続された第１のワイヤ２Ａが引っ張られると、第１のワイヤ２Ａはフック６を脱着式の蓋体４の内壁に引っかかるまで引き、同時に爆発クラッカＣの引き糸５も引っ張る（図４（ｂ））。第１のワイヤ２Ａが引かれると、脱着式の蓋体４は筒状本体３から脱落し、ほぼ同時に爆発クラッカＣの引き糸５が該爆発クラッカＣの点火機構を起動し該爆発クラッカＣが破裂させる。図４（ｂ）の例においては、第２のワイヤ２Ｂ側で爆発クラッカＣの紐を引いて、その反対側２Ｂ側を有害動物Ｇに向けて爆発させることが出来る。装置の回転は支持具１１により回転させて行なう。
なお、図２（ｂ）の例では、破裂部８で発生した爆発音・爆発光・硝煙臭は、筒状本体３の内壁を通り、脱着式の蓋体４を脱落したことにより開いた筒状本体３の開口部より飛び出す（図２（ｂ）に示した爆発音・爆発光・硝煙臭の経路９）。これにより、第１のワイヤ２Ａを引っ掛けた有害動物Ｇを威嚇することもできる。
ここで、第１の実施の形態の他の例としては、有害動物Ｇがワイヤ２Ａに接触すると、その爆発音で第２の脱着式の蓋体４Ｂのみを脱落させる構造の装置１Ｂとしても良い（図１（ｂ））。すなわち、第２のワイヤ２Ｂの側の脱着式の蓋体は脱落するが、第１のワイヤ２Ａ側の脱着式の蓋体はなく、閉じられており第１のワイヤ２Ａが引かれる構造である。
ここで、威嚇の対象がイノシシＧであれば、イノシシの嫌がる忌避剤（例えばタカノツメやトウガラシなどを嫌がる物質とされている。）を脱着式の蓋体４Ａ，４Ｂや密閉式の蓋体４Ｍに収納しておき、爆発音とともに拡散することもできる。
なお、脱着式の蓋体４Ａ，４Ｂとともに密閉式の蓋体４Ｍを脱落させても良い。その意味では、密閉式の蓋体４Ｍも脱着式の蓋体４Ａ，４Ｂになる。
【００２０】
（第２の実施の形態）
図３は本発明の第２の実施形態の爆発クラッカの反響装置を示す斜視図である。
本発明の爆発クラッカの反響装置１Ｃは、筒状本体３が回転可能な支持リング１０を備えた支え器具１１に支持されている。
支え器具１１の構造としては、簡便なものとしては、中空の円柱管を支持土台とし、中空部に支持リング１０のついた金属棒を差し込んだもの等が考えられる。このように上方が開口した内部中空の支え器具１１に円弧形状の支持リング１０の軸部を差し込むことで支持リング１０が３６０度の水平姿勢で回転する構造になっている。さらに回転機能を向上させたものとしては、ベアリングを備えた円柱管を支持土台として使用する等の構造が採用し得る。支え器具１１として、筒状本体３を支持しなおかつ回転を可能とする構造であれば本実施形態の構造に限定されるものでない。
【００２１】
図４は本発明の第２の実施形態の爆発クラッカの反響装置１Ｃの作用効果を説明する説明図である。有害動物から保護すべき区域の外周に、本反響装置１を支え器具１１により設置し、第１のワイヤ２Ａと第２のワイヤ２Ｂを張る。ここでは、前記筒状本体３が地面に対してほぼ水平に支持されて回転可能に配置されるとともに、第１のワイヤ２Ａ及び第２のワイヤ２Ｂを地面に対して水平に引き出して有害動物Ｇに接触させるように仕掛ける。本説明図では、第１のワイヤ２Ａは樹木に固定し、爆発クラッカの反響装置１Ｃは草地面に設置しているが、これに限定されるものではなく、ワイヤを柵あるいは支柱などに固定し、爆発クラッカの反響装置１を柵間あるいは支柱間に設置することも可能である。
有害動物Ｇが侵入検知用の第１のワイヤ２Ａに引っかかることにより、爆発クラッカの反響装置１のワイヤが引っ張られ反響装置１が回転し有害動物Ｇの方向に向く。さらにワイヤが引っ張られることにより、脱着式の蓋体を脱落し、ほぼ同時に爆発クラッカが破裂し爆発音・爆発光および硝煙臭が開口部より飛び出す。本実施形態においては、筒状本体３が回転可能な支え器具１１により設置されているため、開口部がワイヤを引っ張った有害動物Ｇの方向に向いて爆発クラッカＣの破裂が発生し、爆発音・爆発光および硝煙臭が飛び出すことにより、上記第１の実施形態の爆発クラッカの反響装置よりも威嚇効果を増強させることができる。
【００２２】
（第３の実施の形態）
図５は本発明の第３の実施形態の爆発クラッカの反響装置の内部構造を透視した正面図である。図５に示すように、本実施形態の爆発クラッカの反響装置１Ｄは、第１の実施形態の爆発クラッカの反響装置の筒状本体３の内壁面に反響板１５を複数枚設置した構造である。
本反響装置において爆発クラッカＣが破裂させると、発生した爆発音が筒状本体３の内壁に設けられた反響板１５において反響しながら開口部に到達するので、上記第１の実施形態の爆発クラッカの反響装置よりも大きな音量をより長い発生時間で外部に放出される。
【００２３】
（第４の実施の形態）
図６は本発明の第４の実施形態の爆発クラッカの反響装置１Ｅの内部構造を透視した正面図である。
図６に示すように、本実施形態の爆発クラッカの反響装置１Ｅは、筒状本体３内部に２個の爆発クラッカＣを収納し、各々の爆発クラッカＣの引き糸５は筒状本体３の中央部で対向し、筒状本体３の両端がともに脱着式の蓋体４を備えており、フック６を介して引き糸５に接続しているワイヤは筒状本体３内部でワイヤガイド１６により引きまわされて、脱着式の蓋体４にあけた貫通孔を通して外部に引出されている。
【００２４】
有害動物があらかじめ保護すべき区域の外周に設置されたワイヤ２Ａを引っ掛けることにより、前記ワイヤと接続された本反響装置の第１のワイヤ２Ａが引っ張られる。第１の実施形態と同様、第１のワイヤ２Ａが引っ張られることにより、脱着式の蓋体４の脱落し、爆発クラッカＣの破裂が発生する。本実施形態においては、爆発クラッカＣが２個収納されており、脱着式の蓋体４も筒状本体３の両端に備えられているので、爆発クラッカの破裂部８で発生した爆発音・爆発光および硝煙臭は、筒状本体３の両端の開口部より飛び出す（図６下図に示した爆発音・爆発光・硝煙臭の経路９）。これにより、ワイヤ２Ａを引っ掛けた有害動物を威嚇し、排除が実行される。
また、本実施形態の爆発クラッカの反響装置は爆発クラッカＣを２個備えることで、第１の実施形態の爆発クラッカの反響装置が発生させる爆発音・爆発光・硝煙臭の威嚇効果よりも倍増した威嚇効果を発揮し、さらに効果的な爆発クラッカの反響装置となる。
【００２５】
（第５の実施の形態）
図７（ａ）（ｂ）は本発明の第５の実施形態の威嚇装置の内部構造を透視した正面図および側面図である。
本実施形態の威嚇装置１Ｆは、本体３内部に３個のクラッカＣを収納し、各引き糸５はフック６を介してワイヤ２Ａ，２Ｂに接続している。各ワイヤ２Ａ，２Ｂは、筒状本体３の内部でワイヤガイド１６により引き回わされて、密閉式の蓋体４Ａの直前で１本にまとめられ、密閉式の蓋体４Ａ，４Ｂにあけた貫通孔を通して外部に引出されている。
【００２６】
有害動物があらかじめ保護すべき区域の外周に設置されたワイヤを引っ掛けることにより、威嚇装置１の第１のワイヤ２Ａが引っ張られる。前記第１の実施形態の威嚇装置と同様、第１のワイヤ２Ａが引っ張られと、解除バー２ｔが脱着式ふた４を押し出して脱落させ、爆発クラッカＣの破裂が発生する。本実施形態の威嚇装置においては、爆発クラッカＣが３個収納されているので、第１の実施形態の威嚇装置が発生させる爆発音・爆発光および硝煙臭の威嚇効果よりも３倍増した威嚇効果を発揮し、さらに効果的な有害動物の威嚇装置となる。
【００２７】
（第６の実施の形態）
図８（ａ）（ｂ）は本発明の第６の実施形態の爆発クラッカの反響装置の内部構造を透視した正面図および側面図である。
本実施形態の爆発クラッカの反響装置１Ｇは、爆発クラッカＣの引き糸５に連結されるワイヤ２Ａを本体３の外部でワイヤガイド１７により引き回わされて、引き金方式１８に連結され、引き金１８ａを引くと、第１のワイヤ２Ａが引っ張られ、爆発クラッカＣを破裂させるが、その爆発音で脱着式の蓋体４Ｂを脱落させる構造である。第１の実施の形態の適用例としては、有害動物に向けて手動操作で爆発させて威嚇することが出来るが、パーティ用の小型の爆発クラッカＣを充填しても使用することが出来る。なお、本実施の形態においても、外周リング１０や支え器具１１を配置することも可能である。
【００２８】
（第７の実施の形態）
図９（ａ）（ｂ）は本発明の第７の実施形態の爆発クラッカの反響装置１Ｈａの内部構造を透視した正面図であり、図９（ａ）は密閉式の蓋体４Ｍが薄く、爆発クラッカＣの炸裂で壊れる構造である。
本実施形態の爆発クラッカの反響装置１Ｈでは、パーティ用の爆発クラッカＣであり、小型のものであり、円錐台形状を呈する爆発クラッカＣが筒状本体３に収納されている。筒状本体３は、ラッパ型であり、爆発クラッカＣの引き糸５に連結されるワイヤ２Ａを引くと爆発クラッカＣが炸裂するが、ラッパ型形状に対応して円錐台形状を呈する爆発クラッカＣはほとんど位置を変えずに炸裂する。また、筒状本体３の内壁に反響板１５が取り付けられている。密閉式の蓋体４Ｍとしては、紙製や金属箔製にして、爆発クラッカＣの爆発により破壊し易いものが好ましい。なお、筒状本体は、パーティ用の爆発クラッカＣが入ればよく、第１の実施の形態のような筒状でも良い。
【００２９】
図９（ｂ）は密閉式の蓋体４Ｂと脱着式の蓋体４Ｂが薄く、爆発クラッカＣの炸裂で壊れる構造である。
本実施形態の爆発クラッカの反響装置１Ｈｂでは、パーティ用の爆発クラッカＣであり、小型のものであり、円錐台形状を呈する爆発クラッカＣが筒状本体３に収納されている。また、筒状本体の外周には支持リング１０が取り付けられており、この支持リング１０を移動させると密閉式の蓋体４Ｍが筒状本体３から外すことができる構造である。この場合の操作は手で支持リング１０を外すことになるが、爆発クラッカＣを炸裂させるタイミング杜密閉式の蓋体４Ｍを脱落させるタイミングとを調和させることが可能である。すなわち、仮に、脱着式の蓋体４Ｂが外れない場合でも、密閉式の蓋体４Ｍごと外すことができる。
【００３０】
以上、本実施の形態では、畑や草原地で罠を仕掛けるように取り付けた例とパーティ用等の小型の爆発クラッカで説明したが、本発明では、これらに限らず、適用可能である。また、ワイヤ２Ａを引く手段としては、引き金方式で説明したが、筒状本体３を手に持って、ワイヤを引っ張っても良い。いずれの場合でも、本発明では、爆発クラッカは飛び出すことがなく、安全な構造になっている。
【符号の説明】
【００３１】
１，１Ａ，１Ｂ，１Ｃ，１Ｄ，１Ｅ，１Ｆ本発明の爆発クラッカの反響装置、
１Ｇ，１Ｈａ，１Ｈｂ                  本発明の爆発クラッカの反響装置、
２，２Ａ，２Ｂ                        ワイヤ（２Ａ  第１のワイヤ、２Ｂ  第２のワイヤ）、
２ｔ                                  解除バー、
３                                    筒状本体、
４，４Ａ，４Ｂ                        脱着式の蓋体、
４Ｍ                                  密閉式の蓋体（脱着式の蓋体）、
５                                    爆発クラッカの引き糸、
６                                    フック、
８                                    爆発クラッカの破裂部、
１０                                  支持リング、
１１                                  支え器具、
１５                                  反響板、
１６                                  ワイヤガイド、
１８                                  引き金（グリップ部）、
１８ａ                                引き金、
Ｃ                                    爆発クラッカ、
Ｇ                                    有害動物、
【図１】
2017147971.tif 000003
【図２】
2017147971.tif 000004
【図３】
2017147971.tif 000005
【図４】
2017147971.tif 000006
【図５】
2017147971.tif 000007
【図６】
2017147971.tif 000008
【図７】
2017147971.tif 000009
【図８】
2017147971.tif 000010
【図９】
2017147971.tif 000011